(57)【要約】【課題】ＬＣＤノイズの影響を低減することにより、誤動作を防止し、操作感を向上させることができるタッチパネルを備えた液晶表示装置およびその駆動方法を得る。【解決手段】静電容量方式のタッチパネルを備えた液晶表示装置であって、液晶ディスプレイの表示イメージに基づいて、液晶ディスプレイに出力される極性反転信号を可変するタイミングコントローラを備えたものである。【選択図】図６
2013114247.tif 000002
【特許請求の範囲】
【請求項１】
静電容量方式のタッチパネルを備えた液晶表示装置であって、
液晶ディスプレイの表示イメージに基づいて、前記液晶ディスプレイに出力される極性反転信号を可変するタイミングコントローラ
を備えたことを特徴とするタッチパネルを備えた液晶表示装置。
【請求項２】
前記タイミングコントローラは、
ホストコントローラから入力されるクロック信号、画像データ信号および水平同期信号に基づいて、前記液晶ディスプレイの液晶書き込みを実行するためのＬＣＤ制御信号を生成するとともに、複数の極性反転信号を生成するＬＣＤタイミングコントロール信号生成部と、
前記ホストコントローラから入力される前記クロック信号、前記画像データ信号および前記水平同期信号に基づいて、前記液晶ディスプレイの表示イメージを判定し、Ｐｏｌ選択信号を生成する表示イメージ判定部と、
前記ＬＣＤタイミングコントロール信号生成部からの複数の極性反転信号から、前記表示イメージ判定部からのＰｏｌ選択信号に基づいて１つの極性反転信号を選択し、極性反転信号を出力する選択器と、
を有することを特徴とする請求項１に記載のタッチパネルを備えた液晶表示装置。
【請求項３】
前記表示イメージ判定部は、
前記ホストコントローラから入力された前ラインの画像データを記憶するラインメモリと、
現ラインの画像データから、前記ラインメモリに記憶された前記前ラインの画像データを、画素毎に減算して変化量を算出する減算部と、
１ライン分の変化量を加減算する加減算部と、
前記加減算部での加減算結果と所定の閾値とを比較して、前記Ｐｏｌ選択信号を生成する閾値判定部と、
を含むことを特徴とする請求項２に記載のタッチパネルを備えた液晶表示装置。
【請求項４】
前記タイミングコントローラは、前記液晶ディスプレイの表示イメージがＮｏｒｍａｌ  Ｉｍａｇｅである場合には、Ｖ１ｄｏｔ反転の極性反転信号を出力し、ＶＬｉｎｅおよびＳｕｂ  ＶＬｉｎｅである場合には、Ｃｏｌｕｍｎ反転の極性反転信号を出力し、２Ｄｏｔである場合には、Ｖ２ｄｏｔ反転の極性反転信号を出力する
ことを特徴とする請求項１から請求項３までの何れか１項に記載のタッチパネルを備えた液晶表示装置。
【請求項５】
静電容量方式のタッチパネルを備えた液晶表示装置の駆動方法であって、
液晶ディスプレイの表示イメージに基づいて、前記液晶ディスプレイに出力される極性反転信号を可変する可変ステップ
を備えたことを特徴とするタッチパネルを備えた液晶表示装置の駆動方法。
【発明の詳細な説明】
【技術分野】
【０００１】
この発明は、静電容量（Ｐｒｏｊｅｃｔｅｄ  ｃａｐ）方式のタッチパネルを備えた液晶表示装置およびその駆動方法に関する。
【背景技術】
【０００２】
静電容量方式のタッチパネルは、指の接触等による静電容量の変化を測定することによってタッチ位置を検出するものであり、例えば携帯電話やタブレットＰＣ等に適用されている。
【０００３】
図１１は、従来の一般的なタッチパネルを備えた液晶表示装置を示す断面図である。図１１において、この液晶表示装置は、液晶ディスプレイ（以下、「ＬＣＤ（Ｌｉｑｕｉｄ  Ｃｒｙｓｔａｌ  Ｄｉｓｐｌａｙ）」と称する）１０と、ＬＣＤ１０の表面に設けられたタッチパネル２０とから構成されている。
【０００４】
ＬＣＤ１０は、第１偏光板１１、ＴＦＴ（Ｔｈｉｎ  Ｆｉｌｍ  Ｔｒａｎｓｉｓｔｏｒ）側ガラス基板１２、ＴＦＴ側ガラス基板１２の表面に形成された液晶駆動電極１３、カラーフィルタ側ガラス基板１４、および第２偏光板１５が、層状に重ねられて構成されている。なお、液晶は、ＴＦＴ側ガラス基板１２と液晶駆動電極１３との間に注入等されるが、図示を省略している。また、カラーフィルタおよび配向膜も、図示を省略している。
【０００５】
タッチパネル２０は、第２偏光板１５とエアギャップを介して設けられたシールドＩＴＯ（Ｉｎｄｉｕｍ  Ｔｉｎ  Ｏｘｉｄｅ）２１、センサ基板２２、センサ基板２２の表面に形成されたセンサＩＴＯ２３、接着剤２４、および接着剤２４によって接着されるカバーガラス２５が、層状に重ねられて構成されている。
【０００６】
図１２は、図１１に示した液晶表示装置の駆動回路を示す回路ブロック図である。図１２において、この駆動回路は、ＬＣＤ１０およびＬＣＤ１０に接続されたタイミングコントローラ３０と、タッチパネル２０およびタッチパネル２０に接続されたタッチパネルコントローラ４０と、タイミングコントローラ３０およびタッチパネルコントローラ４０に接続されたホストコントローラ５０とを備えている。
【０００７】
タイミングコントローラ３０は、ホストコントローラ５０から入力されるクロック信号、画像データ信号および水平同期信号に基づいて、ＬＣＤ１０にＬＣＤ制御信号を出力し、ＬＣＤ１０の液晶書き込みを実行する。
【０００８】
タッチパネルコントローラ４０は、タッチパネル２０に駆動信号（センシング矩形波）Ｔｘを出力（ドライビング）するとともに、タッチパネル２０からスキャン信号Ｒｘが入力される。また、タッチパネルコントローラ４０は、入力されたスキャン信号Ｒｘに基づいて、座標データ信号をホストコントローラ５０に出力する。ここで、タッチパネルコントローラ４０の動作タイミングは、タイミングコントローラ３０の動作タイミングから独立している（ＧＮＤは共通）。
【０００９】
一般的に、液晶表示装置においては、ＬＣＤ１０の液晶書き込みに伴ってノイズが発生する。以下、このノイズを「ＬＣＤノイズ」と称する。なお、最も大きなＬＣＤノイズは、液晶駆動電極１３に供給される共通電圧Ｖｃｏｍの変動によるノイズである。
【００１０】
ここで、図１１に示した液晶表示装置では、カラーフィルタ側ガラス基板１４は約０．４ｍｍ、第２偏光板１５は約０．２ｍｍ、エアギャップは約０．５ｍｍ、センサ基板２２は約０．５ｍｍの厚さをそれぞれ有している。
【００１１】
すなわち、ＬＣＤノイズの発生源である液晶駆動電極１３から、タッチパネル２０のセンサＩＴＯ２３までは、約１．６ｍｍの距離が確保される。また、シールドＩＴＯ２１が存在するとともに、シールドＩＴＯ２１がグランド（ＧＮＤ）に接続されている。そのため、図１１に示した液晶表示装置は、ＬＣＤノイズに対して強い構成となっている。
【００１２】
一方、近年では、静電容量方式のタッチパネルの薄型化が進んでおり、ＬＣＤ内部にセンサが取り込まれたオンセル方式のタッチパネルが提案されている（例えば、特許文献１参照）。
【００１３】
図１３は、従来の薄型タッチパネルを備えた液晶表示装置を示す断面図である。図１３において、この液晶表示装置は、ＬＣＤ１０Ａと、ＬＣＤ１０Ａの内部にセンサＩＴＯ２３が形成されたタッチパネル２０Ａとから構成されている。
【００１４】
ＬＣＤ１０Ａは、第１偏光板１１、ＴＦＴ側ガラス基板１２、ＴＦＴ側ガラス基板１２の表面に形成された液晶駆動電極１３、カラーフィルタ側ガラス基板１４、および第２偏光板１５が、層状に重ねられて構成されている。なお、液晶は、ＴＦＴ側ガラス基板１２と液晶駆動電極１３との間に注入等されるが、図示を省略している。また、カラーフィルタおよび配向膜も、図示を省略している。
【００１５】
タッチパネル２０Ａは、カラーフィルタ側ガラス基板１４の表面に形成されたセンサＩＴＯ２３、第２偏光板１５の表面に設けられた接着剤２４、および接着剤２４によって接着されるカバーガラス２５が、層状に重ねられて構成されている。
【先行技術文献】
【特許文献】
【００１６】
【特許文献１】特開２０１０−２３２１６２号公報
【発明の概要】
【発明が解決しようとする課題】
【００１７】
しかしながら、従来技術には、以下のような課題がある。
図１３に示した従来の薄型タッチパネルを備えた液晶表示装置では、カラーフィルタ側ガラス基板１４が約０．４ｍｍの厚さなので、ＬＣＤノイズの発生源である液晶駆動電極１３から、タッチパネル２０ＡのセンサＩＴＯ２３までの距離が、約０．４ｍｍとなる。
【００１８】
すなわち、図１３に示した液晶表示装置では、図１１に示した液晶表示装置と比較して、液晶駆動電極１３とセンサＩＴＯ２３との距離が近くなる。また、図１１に示したシールドＩＴＯが省略されていることから、ＬＣＤノイズの影響を受けやすい構成となっている。そのため、ＬＣＤノイズの影響によって誤動作が生じるとともに操作感が低下し、タッチパネル２０Ａのパフォーマンスが低下するという問題があった。
【００１９】
図１４は、図１１および図１３に示した液晶表示装置のノイズ量およびノイズ期間を示す説明図である。図１４において、図１１に示した一般的なタッチパネルでは、ノイズが発生していないのに対して、図１３に示した薄型タッチパネルでは、最大で８４０ｍＶのノイズが１５．６μｓ継続することが分かる。
【００２０】
ここで、ＬＣＤノイズの影響を低減するために、水平同期信号に同期した水平制御信号を用いて、タッチパネルコントローラ４０の動作タイミングを制御する技術が提案されている。すなわち、ＬＣＤノイズの影響を低減するために、タッチパネルコントローラ４０が、ノイズ期間を避けて駆動信号Ｔｘを出力することが提案されている。
【００２１】
図１５は、図１３に示した液晶表示装置において、ＬＣＤノイズの影響を低減するための駆動回路を示す回路ブロック図である。図１５において、この駆動回路のブロック構成は、図１２に示したものと同様なので、説明を省略する。
【００２２】
タイミングコントローラ３０は、タッチパネルコントローラ４０に対して、水平同期信号に同期した水平制御信号を出力する。タッチパネルコントローラ４０は、水平制御信号のパルスｎ（ｎは、１以上の整数、例えばｎ＝４）回ごとに１回、ノイズ期間を避けてタッチパネル２０Ａに駆動信号Ｔｘを出力する。
【００２３】
しかしながら、例えば１２８０×８００ドットの解像度のＬＣＤでは、１水平期間が２０μｓ程度である。これに対して、図１４に示したように、ノイズ期間は１５．６μｓもあり、スキャン（センシング）可能な期間は、４．４μｓしかない。そのため、図１６に示されるように、十分なスキャン期間を確保することができず、ＬＣＤノイズの影響を完全に低減することができないという問題がある。
【００２４】
なお、スキャン信号ＲｘのＳＮ比（ｓｉｇｎａｌ  ｔｏ  ｎｏｉｓｅ  ｒａｔｉｏ）を改善してＬＣＤノイズの影響を低減するために、駆動信号Ｔｘの印加電圧を従来（例えば、３．３Ｖ）よりも高電圧にすることが考えられる。図１７（ａ）、（ｂ）は、図１５に示した駆動回路において、駆動信号Ｔｘの印加電圧を変化させた場合のスキャン信号Ｒｘを示す説明図である。
【００２５】
図１７（ａ）は、駆動信号Ｔｘの印加電圧を３．３Ｖとした場合のスキャン信号Ｒｘを示し、図１７（ｂ）は、駆動信号Ｔｘの印加電圧を１８Ｖとした場合のスキャン信号Ｒｘを示している。図１７において、駆動信号Ｔｘの印加電圧を高電圧にすることにより、スキャン信号ＲｘのＳＮ比を改善して、タッチ検出精度を向上させることができる。
【００２６】
しかしながら、駆動信号Ｔｘの印加電圧を高電圧にした場合には、消費電力が増加するとともに、電圧レベルを変化させるレベルシフタ等の追加部品が必要になるという問題がある。そのため、駆動信号Ｔｘの印加電圧を高電圧にするよりも、ＬＣＤノイズの影響を低減することが望ましい。
【００２７】
この発明は、上記のような課題を解決するためになされたものであり、十分なスキャン期間を確保して、ＬＣＤノイズの影響を低減することにより、誤動作を防止し、操作感を向上させることができるタッチパネルを備えた液晶表示装置およびその駆動方法を得ることを目的とする。
【課題を解決するための手段】
【００２８】
この発明に係るタッチパネルを備えた液晶表示装置は、静電容量方式のタッチパネルを備えた液晶表示装置であって、液晶ディスプレイの表示イメージに基づいて、液晶ディスプレイに出力される極性反転信号を可変するタイミングコントローラを備えたものである。
【００２９】
また、この発明に係るタッチパネルを備えた液晶表示装置の駆動方法は、静電容量方式のタッチパネルを備えた液晶表示装置の駆動方法であって、液晶ディスプレイの表示イメージに基づいて、液晶ディスプレイに出力される極性反転信号を可変する可変ステップを備えたものである
【発明の効果】
【００３０】
この発明に係るタッチパネルを備えた液晶表示装置およびその駆動方法によれば、タイミングコントローラは、液晶ディスプレイの表示イメージに基づいて、液晶ディスプレイに出力される極性反転信号を可変する。
そのため、十分なスキャン期間を確保して、ＬＣＤノイズの影響を低減することにより、タッチパネルの誤動作を防止し、操作感を向上させることができる。
【図面の簡単な説明】
【００３１】
【図１】この発明の実施の形態１に係る液晶表示装置における極性反転信号を例示する説明図である。
【図２】（ａ）〜（ｄ）は、この発明の実施の形態１に係る液晶表示装置における極性反転信号および表示イメージのパターンを例示する説明図である。
【図３】（ａ）〜（ｄ）は、図２（ａ）に示した極性反転信号と図２（ｃ）に示した表示イメージとを組み合わせた場合のＬＣＤノイズを示す説明図である。
【図４】（ａ）〜（ｄ）は、図２（ｂ）に示した極性反転信号と図２（ｃ）に示した表示イメージとを組み合わせた場合のＬＣＤノイズを示す説明図である。
【図５】（ａ）〜（ｄ）は、図２（ｂ）に示した極性反転信号と図２（ｄ）に示した表示イメージとを組み合わせた場合のＬＣＤノイズを示す説明図である。
【図６】この発明の実施の形態１に係る液晶表示装置のタイミングコントローラの構成を示すブロック図である。
【図７】図６に示した表示イメージ判定部の構成を示すブロック図である。
【図８】図６に示したタイミングコントローラの動作を示す説明図である。
【図９】この発明の実施の形態１に係る液晶表示装置における表示イメージのパターンと極性反転信号との組み合わせを例示する説明図である。
【図１０】図６に示したタイミングコントローラの動作を示すフローチャートである。
【図１１】従来の一般的なタッチパネルを備えた液晶表示装置を示す断面図である。
【図１２】図１１に示した液晶表示装置の駆動回路を示す回路ブロック図である。
【図１３】従来の薄型タッチパネルを備えた液晶表示装置を示す断面図である。
【図１４】図１１および図１３に示した液晶表示装置のノイズ量およびノイズ期間を示す説明図である。
【図１５】図１３に示した液晶表示装置において、ＬＣＤノイズの影響を低減するための駆動回路を示す回路ブロック図である。
【図１６】図１５に示した駆動回路による動作の問題を示す説明図である。
【図１７】（ａ）、（ｂ）は、図１５に示した駆動回路において、駆動信号の印加電圧を変化させた場合のスキャン信号を示す説明図である。
【発明を実施するための形態】
【００３２】
以下、この発明に係るタッチパネルを備えた液晶表示装置およびその駆動方法の好適な実施の形態につき図面を用いて説明するが、各図において同一、または相当する部分については、同一符号を付して説明する。
【００３３】
実施の形態１．
この発明の実施の形態１に係るタッチパネルを備えた液晶表示装置の構成は、図１３に示したものと同様なので、説明を省略する。また、この発明の実施の形態１に係るタッチパネルを備えた液晶表示装置の駆動回路は、図１５に示したタイミングコントローラ３０に代えて、タイミングコントローラ３０Ａを備えている。タイミングコントローラ３０Ａは、ＬＣＤ１０Ａに対して、ＬＣＤ制御信号とともに、極性反転信号（後述する）を出力する。駆動回路のその他のブロック構成は、図１５に示したものと同様なので、説明を省略する。
【００３４】
まず、図１〜５を参照しながら、この液晶表示装置において、ＬＣＤ１０Ａの液晶書き込みに伴って発生するＬＣＤノイズのレベルの変化を、ＬＣＤ１０Ａの極性反転信号と表示イメージとの組合せに基づいて説明する。図１は、この発明の実施の形態１に係る液晶表示装置における極性反転信号を例示する説明図である。図２（ａ）〜（ｄ）は、この発明の実施の形態１に係る液晶表示装置における極性反転信号および表示イメージのパターンを例示する説明図である。なお、ＮおよびＮ＋１は、ライン番号を示している。
【００３５】
図１では、２ドット反転の極性反転信号を示している。例えば１２８０×８００ドットの解像度のＬＣＤ１０Ａでは、ソースドライバ側にはＲＧＢの３色があるので、１２８０×３＝３８４０ラインが設けられている。図１において、「＋」は共通電圧Ｖｃｏｍよりも高い値を示し、「−」は共通電圧Ｖｃｏｍよりも低い値を示している。なお、ＬＣＤ１０Ａは、交流駆動が必要なので、フレーム毎に正負の極性が反転する。
【００３６】
図１に示した極性反転信号を簡素化すると、図２（ａ）に示されるパターンを繰り返し配置したことと等価である。また、極性反転信号は、図２（ｂ）に示される１ドット反転のパターンを繰り返し配置したものであってもよい。
【００３７】
また、図２（ｃ）、（ｄ）は、ＬＣＤ１０Ａに表示される表示イメージのパターンを示しており、図２（ｃ）、（ｄ）において、灰色で塗りつぶされている箇所は、透過率が低い状態であり、塗りつぶされていない箇所は、透過率が高い状態である。ここでは、ノーマリーブラック型のＬＣＤ１０Ａとしているので、透過率が低い状態では、電圧が共通電圧Ｖｃｏｍに近い値になる。
【００３８】
図３（ａ）〜（ｄ）は、図２（ａ）に示した極性反転信号と図２（ｃ）に示した表示イメージとを組み合わせた場合のＬＣＤノイズを示す説明図である。図４（ａ）〜（ｄ）は、図２（ｂ）に示した極性反転信号と図２（ｃ）に示した表示イメージとを組み合わせた場合のＬＣＤノイズを示す説明図である。図５（ａ）〜（ｄ）は、図２（ｂ）に示した極性反転信号と図２（ｄ）に示した表示イメージとを組み合わせた場合のＬＣＤノイズを示す説明図である。なお、図３（ｂ）、図４（ｂ）、図５（ｂ）において、極性反転信号の「＋」は、共通電圧Ｖｃｏｍよりも高い（上の）値を示し、極性反転信号の「−」は、共通電圧Ｖｃｏｍよりも低い（下の）値を示している。
【００３９】
図３において、図３（ａ）に示された極性反転信号と表示イメージとの組合せでは、各ラインについて、ソースドライバからの出力が図３（ｂ）に示すようになる。この場合に、各ラインの出力を合成した出力、およびこの合成出力に対応するＬＣＤノイズは、それぞれ図３（ｃ）および図３（ｄ）に示すようになる。すなわち、合成出力が大きく変化することにより、ＬＣＤノイズが発生していることが分かる。
【００４０】
図４において、図４（ａ）に示された極性反転信号と表示イメージとの組合せでは、各ラインについて、ソースドライバからの出力が図４（ｂ）に示すようになる。この場合に、各ラインの出力を合成した出力、およびこの合成出力に対応するＬＣＤノイズは、それぞれ図４（ｃ）および図４（ｄ）に示すようになる。すなわち、極性反転信号を変えることにより、ＬＣＤノイズがなくなることが分かる。
【００４１】
図５において、図５（ａ）に示された表示イメージと極性反転信号との組合せでは、各ラインについて、ソースドライバからの出力が図５（ｂ）に示すようになる。この場合に、各ラインの出力を合成した出力、およびこの合成出力に対応するＬＣＤノイズは、それぞれ図５（ｃ）および図５（ｄ）に示すようになる。すなわち、図２（ｂ）に示した１ドット反転の極性反転信号を用いた場合であっても、表示イメージのパターンが変化することにより、ＬＣＤノイズが発生することが分かる。
【００４２】
図３から図５より、表示イメージのパターンの変化に応じて、極性反転信号と表示イメージとの組合せによって生じるＬＣＤノイズが変化することが分かる。
【００４３】
したがって、ＬＣＤ１０Ａの表示イメージを判定して、ＬＣＤノイズが発生すると判定された場合に、極性反転信号を変化させることにより、ＬＣＤノイズの発生頻度を減少させて、ＬＣＤノイズの影響（ノイズ量およびノイズ期間）の影響を低減することができる。
【００４４】
図６は、この発明の実施の形態１に係る液晶表示装置のタイミングコントローラ３０Ａの構成を示すブロック図である。図６において、タイミングコントローラ３０Ａは、ＬＣＤタイミングコントロール信号生成部３１、表示イメージ判定部３２および選択器３３を有している。
【００４５】
ＬＣＤタイミングコントロール信号生成部３１は、ホストコントローラ５０から入力されるクロック信号、画像データ信号および水平同期信号に基づいて、ＬＣＤ１０Ａの液晶書き込みを実行するためのＬＣＤ制御信号を生成し、ＬＣＤ制御信号をＬＣＤ１０Ａに出力する。
【００４６】
また、ＬＣＤタイミングコントロール信号生成部３１は、複数の極性反転信号（Ｐｏｌ＿ａ〜Ｐｏｌ＿ｃ）を作成して、極性反転信号を選択器３３に出力する。なお、極性反転信号は、例えば１ドット反転、２ドット反転および２ドット反転＋１ラインシフトとするが、これらに限定されるものではない。
【００４７】
表示イメージ判定部３２は、ホストコントローラ５０から入力されるクロック信号、画像データ信号および水平同期信号に基づいて、ＬＣＤ１０Ａの表示イメージを判定し、Ｐｏｌ選択信号を選択器３３に出力する。
【００４８】
上述したことから、ＬＣＤノイズは、前ラインの画像データと現ラインの画像データとの変化量、変化方向および変化データ数が要素となるので、表示イメージ判定部３２は、前ラインの画像データと現ラインの画像データとを比較して、表示イメージを判定する。
【００４９】
図７は、図６に示した表示イメージ判定部３２の構成を示すブロック図である。図７において、表示イメージ判定部３２は、ラインメモリ３２１、減算部３２２、加減算部３２３および閾値判定部３２４を含んでいる。
【００５０】
ラインメモリ３２１は、ホストコントローラ５０から入力された前ラインの画像データを記憶する。減算部３２２は、現ラインの画像データから、ラインメモリ３２１に記憶された前ラインの画像データを、画素毎に減算して変化量を算出する。
【００５１】
加減算部３２３は、１ライン分の変化量を加減算する。例えば１２８０×８００ドットの解像度のＬＣＤ１０Ａでは、１ライン分のデータは、１２８０×ＲＧＢ（３色）＝３８４０データとなる。閾値判定部３２４は、加減算部３２３での加減算結果と所定の閾値とを比較して、Ｐｏｌ選択信号を出力する。ここで、所定の閾値は、ＬＣＤノイズが許容範囲内であるか否かに応じて、あらかじめ設定されている。
【００５２】
図６に戻って、選択器３３は、ＬＣＤタイミングコントロール信号生成部３１からの極性反転信号（Ｐｏｌ＿ａ〜Ｐｏｌ＿ｃ）から、表示イメージ判定部３２からのＰｏｌ選択信号に基づいて１つの極性反転信号を選択し、極性反転信号を出力する。
【００５３】
以下、図８を参照しながら、図６に示したタイミングコントローラ３０Ａの動作について、従来のものと比較しながら説明する。
まず、従来の駆動回路（図８参照）では、上述したように、十分なスキャン期間を確保することができず、ＬＣＤノイズの影響を完全に低減することができない。
【００５４】
これに対して、この発明の実施の形態１に係る液晶表示装置の駆動回路では、適切な極性反転信号を選択することにより、ＬＣＤノイズの発生頻度を減少させて、ＬＣＤノイズのノイズ量およびノイズ期間を減少させることにより、ＬＣＤノイズの影響の影響を低減して、十分なスキャン時間を確保することができる。
【００５５】
ここで、図９、１０を参照しながら、具体的な表示イメージのパターンと極性反転信号との組み合わせを例示して、タイミングコントローラ３０Ａの動作について説明する。図９は、この発明の実施の形態１に係る液晶表示装置における表示イメージのパターンと極性反転信号との組み合わせを例示する説明図である。また、図１０は、図６に示したタイミングコントローラ３０Ａの動作を示すフローチャートである。
【００５６】
図９より、表示イメージのパターンがＮｏｒｍａｌ  Ｉｍａｇｅである場合において、極性反転信号がＶ１ｄｏｔ反転であるとき、表示イメージのパターンがＶＬｉｎｅおよびＳｕｂ  ＶＬｉｎｅである場合において、極性反転信号がＣｏｌｕｍｎ反転であるとき、表示イメージのパターンが２Ｄｏｔである場合において、極性反転信号がＶ２ｄｏｔ反転であるときに、ＬＣＤノイズが低減されていることが分かる。
【００５７】
そこで、タイミングコントローラ３０Ａは、図１０に示されるように、表示イメージのパターンを認識し（ステップＳ１）、認識された表示イメージのパターンに基づいて極性反転信号を選択し（ステップＳ２）、極性反転信号を出力する（ステップＳ３）。
【００５８】
以上のように、実施の形態１によれば、タイミングコントローラは、液晶ディスプレイの表示イメージに基づいて、液晶ディスプレイに出力される極性反転信号を可変する。
そのため、十分なスキャン期間を確保して、ＬＣＤノイズの影響を低減することにより、タッチパネルの誤動作を防止し、操作感を向上させることができる。
【符号の説明】
【００５９】
１１  第１偏光板、１２  ＴＦＴ側ガラス基板、１３  液晶駆動電極、１４  カラーフィルタ側ガラス基板、１５  第２偏光板、２０、２０Ａ  タッチパネル、２１  シールドＩＴＯ、２２  センサ基板、２３  センサＩＴＯ、２４  接着剤、２５  カバーガラス、３０、３０Ａ  タイミングコントローラ、３１  タイミングコントロール信号生成部、３２  表示イメージ判定部、３３  選択器、４０  タッチパネルコントローラ、５０  ホストコントローラ、３２１  ラインメモリ、３２２  減算部、３２３  加減算部、３２３  加減算部、３２４  閾値判定部。
【図１】
2013114247.tif 000003
【図２】
2013114247.tif 000004
【図３】
2013114247.tif 000005
【図４】
2013114247.tif 000006
【図５】
2013114247.tif 000007
【図６】
2013114247.tif 000008
【図７】
2013114247.tif 000009
【図８】
2013114247.tif 000010
【図９】
2013114247.tif 000011
【図１０】
2013114247.tif 000012
【図１１】
2013114247.tif 000013
【図１２】
2013114247.tif 000014
【図１３】
2013114247.tif 000015
【図１４】
2013114247.tif 000016
【図１５】
2013114247.tif 000017
【図１６】
2013114247.tif 000018
【図１７】
2013114247.tif 000019